(57)【特許請求の範囲】
【請求項１】
移動式開閉体を収納する戸袋の外面の少なくとも一部に外面形成部材が配置され、この外面形成部材で前記戸袋の外面が形成されている戸袋構造において、前記戸袋と対面しかつ近接して建物構成部が設けられ、この建物構成部に、この建物構成部と対面する前記戸袋の外面の部分には配置されておらず、前記戸袋の前記建物構成部と対面しない外面の部分に配置されている前記外面形成部材の少なくとも一部が取り付けられていることを特徴とする戸袋構造。
【請求項２】
請求項１に記載の戸袋構造において、前記戸袋は、前記外面形成部材の外面に取り付けられた壁材による壁の内部に配置されていることを特徴する戸袋構造。
【請求項３】
請求項１又は２に記載の戸袋構造において、前記移動式開閉体は上吊り式引戸であることを特徴とする戸袋構造。
【発明の詳細な説明】
【０００１】
【発明の属する技術分野】
本発明は、移動式開閉体を収納するための戸袋の構造に係り、例えば、上吊り式引戸や、上下レールに案内されて移動する一般的な引戸、上吊り式等の可動型間仕切りパネル等のための戸袋に利用できるものである。
【０００２】
【背景技術】
特開平１０−４６９２３号には、上吊り式引戸の戸袋が示されている。この戸袋の外面は外面形成部材となっている面材の配置によって形成され、この面材の外面に壁材が取り付けられ、戸袋は壁材による壁の内部に配置されている。
【０００３】
【発明が解決しようとする課題】
上吊り式引戸のための戸袋の設置場所の一例は、建物内の例えば廊下と部屋との境界部である。この境界部には、建物構成部である室内柱や部屋間の間仕切り壁等が設けられることがある。このような建物構成部が戸袋に近接して存在しているときには、工場から戸袋施工現場に資材を搬送して戸袋を組み立てる際、戸袋の外面を形成する面材を戸袋の枠部材等にビスなどで撓み等が発生しないようにより確実に取り付けることは難しくなる。
【０００４】
特に、特開平１０−４６９２３号のように戸袋が壁内に配置されるものとなっており、このため、面材の外面に壁材を取り付けなければならないときには、面材を撓み等が発生しない大きな強度で取り付けることが求められることになり、このような要望に応えられる戸袋の構造が必要になる。
【０００５】
本発明の目的は、戸袋に近接して建物構成部があっても、戸袋の外面形成部材を撓み等が発生しないように確実に取り付けることが可能になる戸袋構造を提供するところにある。
【０００６】
【課題を解決するための手段】
本発明に係る戸袋構造は、移動式開閉体を収納する戸袋の外面の少なくとも一部に外面形成部材が配置され、この外面形成部材で戸袋の外面が形成されている戸袋構造において、戸袋に近接して建物構成部が設けられ、この建物構成部に、この建物構成部に近い位置に配置されている外面形成部材の少なくとも一部が取り付けられていることを特徴とするものである。
【０００７】
この戸袋構造によると、建物構成部に外面形成部材の少なくとも一部が取り付けられるため、戸袋と建物構成部とが近接していても、建物構成部を利用して外面形成部材の取り付けが可能になり、その取り付けを例えば撓み等が発生しないように確実に行えるようになる。
【０００８】
ここで、戸袋のそれぞれの片側外面について外面形成部材は１個でもよく、複数でもよい。また、これらの１個又は２個の外面形成部材が戸袋の片側全面を形成してもよく、片側外面の一部を形成し、残りの部分に外面形成部材が配置されていなくてもよい。
【０００９】
また、戸袋の両方の外面に外面形成部材を配置せず、一方の外面だけに外面形成部材を配置し、他方の外面から戸袋に収納された移動式開閉体を視認できる戸袋構造になっていてもよい。
【００１０】
さらに、複数の外面形成部材を並設して戸袋の外面を形成する場合には、その並設方向は左右方向でもよく、上下方向でもよく、これら両方を併用したものでもよい。
【００１１】
また、本発明に係る戸袋構造は、戸袋を壁の内部に配置しない場合にも適用でき、壁の内部に配置する場合にも適用できる。
【００１２】
戸袋を壁の内部に配置する場合には、外面形成部材の外面に壁を形成する壁材を取り付けもよく、取り付けなくてもよい。外面形成部材の外面に壁材を取り付ける場合には、外面形成部材の取付強度を大きくすることが必要になる。建物構成部を利用して外面形成部材の取り付けを行う本発明は、このような場合に特にその効果を発揮する。
【００１３】
戸袋に建物構成部が極めて近接し、このため、建物構成部と対面する戸袋の外面に外面形成部材を配置できない場合には、外面形成部材をこの外面からずれた位置に配置し、この外面形成部材の少なくとも一部を建物構成部に取り付けてもよい。この場合には、戸袋及び建物構成部を壁材で覆い、これら全部を壁の内部に収納する構造としてもよく、建物構成部とこの建物構成部側の戸袋の片面に配置された外面形成部材とを壁材で覆い、反対側の戸袋の片面に外面形成部材だけを配置する構造としてもよい。
【００１４】
以上において、外面形成部材の少なくとも一部を取り付ける建物構成部は室内柱や壁等の建物躯体でもよく、建物躯体に戸袋施工前に結合配置されるパネルなどによる間仕切り壁等の非建物躯体でもよい。
【００１５】
また、建物構成部に外面形成部材を取り付けるための構造はブラケット等を使用しない直接的なものでもよく、ブラケット等の連結部材を使用した間接的なものでもよい。間接的な取付構造とする場合には、外面形成部材を連結部材にビス、溶接等による固着手段で結合してもよく、挟着部材等を使用した挟み込み方式で結合してもよく、これらを併用してもよく、任意なものを採用できる。
【００１６】
また、外面形成部材は建物構成部だけに取り付けてもよく、可能であれば建物構成部と戸袋構成部材の両方に取り付けてもよい。戸袋構成部材にも外面形成部材を取り付ける場合には、その取り付け構造はビス、リベット、溶接等による固着手段を使用したものでもよく、挟着部材等を使用した挟み込み方式のものでもよく、これらを併用したものでもよく、任意である。
【００１７】
また、外面形成部材は補強部のない平面的部材でもよく、折り曲げや補強部材の固着による補強部が設けられた部材でもよい。
【００１８】
また、建物構成部には、戸袋の外面形成部材だけではなく、例えば、戸袋の上枠、下枠、竪枠等の戸袋外枠部材を直接又はブラケット等により間接的に取り付け、これらの大きな取付強度を確保するようにしてもよい。
【００１９】
さらに、本発明は、上吊り式引戸や、上下レールに案内されて移動する一般的な引戸、上吊り式等の可動型間仕切りパネル等を収納するための戸袋に適用でき、戸袋に収納される移動式開閉体は任意である。
【００２０】
【発明の実施の形態】
以下に本発明の一実施形態を図面に基づいて説明する。図１は本実施形態に係る戸袋構造が適用された上吊り式引戸装置を含む建物の平断面図で、図２はその引戸装置の正面図である。
【００２１】
図１において、建物内の廊下Ａと部屋Ｂとの境界部である壁Ｃに上吊り式引戸装置１が設置されており、この引戸装置１の戸袋２に近接して建物躯体であって建物構成部である室内柱３が設けられている。図２に示すとおり、引戸装置１は、左右動することにより出入口用の開口部４を開閉する移動式開閉体である引戸５を有し、引戸５は、開口部４の上縁を形成している上枠６の内部のレールから吊り下げられた上吊り式である。開口部４における引戸移動方向に対して直角をなす戸先側の縁部は戸先側竪枠７で形成され、開口部４における引戸移動方向に対して直角をなす戸尻側の縁部は竪額縁８で形成され、開口部４における下縁は床９で形成されている。戸先側竪枠７に引戸５の戸先が当接することにより、引戸５は閉じ側の移動限に達する。
【００２２】
竪額縁８の後側は前記壁Ｃになっており、この壁Ｃの内部に、後退して開口部４を開けたときの引戸５を収納するための戸袋２が配置されている。戸袋２の後端は上下方向を長さ方向とする戸尻側竪枠１０で形成され、上枠６は戸先側竪枠７から戸尻側竪枠１０までの長さを有している。戸袋２の下端は下枠１１で形成され、この下枠１１は竪額縁８から戸尻側竪枠１０までの長さを有する。
【００２３】
図２のIII−III線断面図である図３及び上枠６の内部構造の正面図である図４には、上枠６の内部に配置されている引戸移動機構が示されている。図３で示すとおり、上枠６の閉鎖面部６Ａの内面には補強部材１２が取り付けられ、この補強部材１２は、図４で示すように、引戸５の移動方向に複数設けられている。これらの補強部材１２には上枠６とほぼ同じ長さのレール１３が結合され、このレール１３は図３のように縦断面Ｌ字状であり、水平部１３Ａの先端に引戸５の移動を案内するガイド部１３Ｂが設けられている。図４で示すとおり、上枠６内に挿入されている引戸５の上部にはローラ１４がローラ保持部材１５に取り付けられて回転自在に支持され、複数個あるローラ１４がレール１３のガイド部１３Ｂに係合されている。これにより引戸５はレール１３に吊り下げ支持されているとともに、レール１３に沿って移動自在になっている。
【００２４】
また、図２で示す床９にはガイドローラ１６が配置され、図３で示すとおり、このガイドローラ１８は引戸５の下向きに開口した下フレーム５Ａ内に挿入され、開口部４を開閉する引戸５の移動は、引戸５の下端がガイドローラ１６で案内されながら行われる。
【００２５】
図４で示す複数のローラ保持部材１５のうち、最後部のローラ保持部材１５にはゴム等による緩衝部材１７が後ろ向きに取り付けられ、この緩衝部材１７が引戸５の後退によりレール１３に結合されているストップ部材１８に当接することにより引戸５は後退限に達する。また、レール１３の先端に連結された連結部材１９にはピン２０が垂下固定され、このピン２０にはワイヤー２１の一端が結合され、ワイヤー２１の他端は、複数個のローラ保持部材１５のうちの最前部のローラ保持部材１５に連結されているブラケット２２内の図示されていない渦巻きばね機構に結合されている。
【００２６】
このため、図２で示す把持部５Ｂを握った手で引戸５を後退させると、ワイヤー２１が渦巻きばね機構から繰り出されるとともに、ワイヤー２１からの引っ張り力で渦巻きばね機構の渦巻きばねが蓄圧され、把持部５Ｂから手を離すと、この渦巻きばねの蓄圧力により引戸５が自動的に前進し、開口部４を閉じるようになっている。このため、本実施形態に係る上吊り式引戸装置１は、半自動式（自閉式）である。
【００２７】
また、図４で示すように上枠６内のレール１３にはブラケット２３でエアシリンダ２４が後ろ向きに取り付けられ、このエアシリンダ２４のピストンロッド２５の先端部は、最後部のローラ保持部材１５に設けられているキャッチ部材２６で把持されている。このため、引戸３の往復動によりピストンロッド２５はエアシリンダ２４に対して伸縮動し、エアシリンダ２４には、引戸３が後退したとき、すなわちピストンロッド２５が伸び作動したときに多量の空気をエアシリンダ２６内部に吸引し、引戸５が前進したときはこの空気を絞りながら排出するバルブが設けられているため、上記渦巻きばねの蓄圧力により開口部４を閉じるときの引戸５の前進は、エアシリンダ２４のダンパー作用で低速で行われるようになっている。
【００２８】
上枠６の内部に配置されている以上の機構、構造を点検できるように、上枠６には図３で示す点検口２７が設けられ、図２で示した開口部４の真上に設けられているこの点検口２７は、通常時、点検カバー２８で塞がれている。図３に示すとおり、上枠６には斜め上向きの傾斜突片６Ｂが設けられ、点検カバー２８の上辺にはこの傾斜突片６Ｂに係止する係止部２８Ａが形成されている。係止部２８Ａを傾斜突片６Ｂに係止し、図２で示した戸先側竪枠５と竪額縁８のそれぞれに設けられている図示しないブラケットのねじ孔に点検カバー２８を挿通させたローレットねじ２９をねじ込むことにより、点検カバー３０は上枠６に点検口２７を塞いで取り付けられる。また、ローレットねじ２９の取り外しを行い、係止部２８Ａを傾斜突片６Ｂから外すことにより、点検カバー２８を上枠６から取り除いて点検口２７を開放でき、これにより、上枠４の内部に配置されている上記機構、構造の点検が可能になる。
【００２９】
図５は図２のV−V線断面図であり、図６は図５の要部拡大図である。これらは前記戸袋２の構造を示す平断面図である。また、図７は図６のVII−VII線断面図で、戸袋２の縦断面図である。
【００３０】
図５及び図６に示すように、戸袋２の前記廊下Ａ側の外面には２枚の面材３０，３１が配置され、これにより戸袋２の廊下Ａ側の外面が形成されているため、面材３０，３１は戸袋２の外面形成部材となっている。面材３０，３１は左右方向に並設され、開口部４側の面材３０における開口部４側の端部には挟着部材３２が上下方向に複数個取り付けられ、これらの挟着部材３２と面材３０との間の隙間には、廊下Ａ側の竪額縁８の後方延出部８Ａが挟み込まれている。また、戸尻側竪枠１０側の面材３１における戸尻側竪枠１０側の端部にも挟着部材３２が上下方向に複数個取り付けられ、これらの挟着部材３２と面材３１との間の隙間には、戸尻側竪枠１０から前方へ延びるブラケット３３が挟み込まれている。
【００３１】
また、図７に示すとおり、これらの面材３０，３１の上部は上枠７に取り付けられたブラケット３４にビス３５で結合され、下部はチャンネル材からなる下枠１１の立上部１１Ａにビス３６で結合されている。そして、図６に示すように、面材３０，３１の互いに向かい合う端部は折曲端部３０Ａ，３１Ａとなっており、これらの折曲端部３０Ａ，３１Ａは重ねられ、ビス３７で結合されている。
【００３２】
また、これらの面材３０，３１の外面には前記壁Ｃを形成するボードによる壁材３８がステープルやビス等の止め具で取り付けられ、その表面には壁仕上げ材である壁クロスが貼られており、面材３０，３１は、この部分の壁Ｃを形成するための壁材３８の下地材となっている。
【００３３】
一方、図５及び図６に示すとおり、戸袋２の前記部屋Ｂ側の外面近くには、この外面のほぼ半分を覆うように前記室内柱３が設けられている。言い換えると、本実施形態に係る上吊り式引戸装置１が設けられる壁Ｃは室内柱３の近くに設置されており、この引戸装置１の戸袋２は、戸袋２のほぼ半分と室内柱３とが対面する位置に配置されている。
【００３４】
戸袋２の室内柱３と対面しない外面には、外面形成部材である面材４０が配置され、この面材４０により戸袋２のこの部分の外面が形成されている。面材４０の開口部４側の端部には挟着部材３２が上下方向に複数個取り付けられ、これらの挟着部材３２と面材４０との間の隙間には、部屋Ｂ側の竪額縁８の後方延出部８Ａが挟み込まれている。また、面材４０の戸尻側竪枠１０側の端部にも挟着部材３２が上下方向に複数個取り付けられ、これらの挟着部材３２と面材４０との間の隙間には、上下方向の長さを有するアングル材からなるブラケット４１の第１片部４１Ａが挟み込まれている。このブラケット４１の第２片部４１Ｂは室内柱３にアンカー部材４２で結合されている。
【００３５】
図７に示すように、面材４０の上部は上枠６に取り付けられたブラケット４３にビス４４で結合され、下部は下枠１１の立上部１１Ｂにビス４５で結合されている。
【００３６】
図５及び図６に示すとおり、面材４０の外面には壁Ｃを形成する壁材４６がステープルやビス等による止め具で取り付けられ、この壁材４６の端部に直角に接続されて壁材４７が配置されている。さらに、図１に示すとおり、壁材４７に室内柱３を囲むように壁材４８，４９が順次接続配置されている。このため、壁Ｃは戸袋２の部分で室内柱３のために膨らんだ形状となっており、戸袋２は、壁Ｃのこの膨らんだ部分の内部に配置されている。
【００３７】
戸袋２の配置部分を除く壁Ｃは、図１、図３等で示す他の壁材５０の配置により形成され、これらの壁材５０は下地フレーム５１に取り付けられている。また、壁材４７〜４９は室内柱３の周囲を囲むように設置された下地フレーム５２に取り付けられ、面材４０の外面に取り付けられた壁材４６、壁材４７〜５０、壁材５０の表面には、前記壁材３８と同様に壁クロスが貼られている。
【００３８】
建物内の所定位置に壁Ｃ及び上吊り式引戸装置１を設置する場合には、先ず、下地フレーム５１の設置作業を行い、次いで、上吊り式引戸装置１の上枠６、戸先側竪枠７、戸尻側竪枠１０を下地フレーム５１に取り付ける作業、下枠１１を床９に設置する作業、上枠６と下枠１１に竪額縁８を結合する作業を行う。そして、廊下Ａ側の面材３０，３１を左右方向に移動させてこれらの面材３０，３１を挟着部材３２で廊下Ａ側の竪額縁８の後方延出部８Ａ、戸尻側竪枠１０のブラケット３２に取り付ける作業、面材３０，３１の上下部をブラケット３４、下枠１１にビス３５，３６で結合する作業、面材３０，３１の折曲部３０Ａ，３１Ａ同士をビスで３７で結合する作業を行う。
【００３９】
また、部屋Ｂ側の面材４０における開口部４側の端部を、面材４０を図５及び図６中左移動させることにより、挟着部材３２で部屋Ｂ側の竪額縁８の後方延出部８Ａに取り付ける作業、アングル材からなるブラケット４１の第２片部４１Ｂをアンカー部材４２で室内柱３に取り付ける作業、このブラケット４１の第１片部４１Ａに面材４０の戸尻側竪枠１０側の端部を、面材４０を図５及び図６中右移動させることにより、挟着部材３２で取り付ける作業、面材４０の上下部をブラケット４３、下枠１１にビス４４，４５で結合する作業を行う。
【００４０】
さらに、室内柱３の周囲に下地フレーム５２を設置する作業を行い、この後、面材３０，３１の外面に壁材３８を取り付ける作業、面材４０の外面に壁材４６を取り付ける作業、下地フレーム５２に壁材４７〜４９を取り付ける作業、下地フレーム５１に壁材５０を取り付ける作業を行い、全部の壁材３８，４６〜４９，５０の表面に壁クロスを貼る作業を行う。
【００４１】
以上の本実施形態によると、室内柱３の近くに配置されている面材４０における戸尻側竪枠１０側の端部は、ブラケット４１を介して室内柱３に取り付けられており、挟着部材３２で部屋Ｂ側の竪額縁８の後方延出部８Ａに取り付けられている開口部４側の端部、ブラケット４３、下枠１１にビス４４，４５で結合されている上下部と併せ、面材４０の四周辺は固定されることになるため、面材４０の取付強度を撓みが発生しない大きなものにできる。
【００４２】
すなわち、図５及び図６に示すように、室内柱３に近接する位置に戸袋２が設けられ、このため、室内柱３と直接対面する戸袋２の外面位置に、面材４０と左右方向に隣接する面材を配置できない場合には、廊下Ａ側の面材３０，３１のように左右方向に隣接する面材の端部同士を結合して面材に撓みが生じない程の面材取付強度を確保することは難しくなるが、本実施形態によると、面材４０における面材を配置できない側の端部をブラケット４１を介して室内柱３に結合できるため、面材４０の取り付けをこの端部で撓みが発生しないようにより確実なものにでき、その取付強度を充分に大きくできる。
【００４３】
特に、本実施形態では、面材４０の外面には壁材４６が取り付けられ、この壁材４６は他の壁材３８、４７〜４９，５０と共に戸袋２を内部に収納するための壁Ｃの構成材となっているため、壁材４６を下地材としての面材４０に大きな強度で取り付けることが必要になり、このためにも、面材４０に撓みが発生しないように面材４０を戸袋２に大きな強度で取り付けなければならないが、本実施形態によると、ブラケット４１を介して面材４０を室内柱３に結合することにより、面材４０を撓みが発生しない充分な強度で取り付けることができるようになる。
【００４４】
【発明の効果】
本発明によると、戸袋に近接して建物構成部があっても、戸袋の外面形成部材を撓み等が発生しないように確実に取り付けることが可能になるという効果を得られる。
【図面の簡単な説明】
【図１】本発明の一実施形態に係る上吊り式引戸装置の戸袋構造が適用された壁を示す平断面図である。
【図２】図１の上吊り式引戸装置の正面図である。
【図３】図２のIII−III線断面図である。
【図４】図２の上吊り式引戸装置の上枠内に配置された引戸の移動機構を示す正面図である。
【図５】図２のV−V線断面図である。
【図６】図５の戸袋部分を示す要部拡大図である。
【図７】図６のVII−VII線断面図である。
【符号の説明】
１  上吊り式引戸装置
２  戸袋
３  建物構成部である室内柱
５  移動式開閉体である上吊り式引戸
６  上枠
７，１０  竪枠
８  竪額縁
１１  下枠
３０，３１，４０  外面形成部材である面材
３８，４６〜５０  壁材
Ａ  廊下
Ｂ  部屋
Ｃ  壁
【図１】
0003685948.tif 000002
【図２】
0003685948.tif 000003
【図３】
0003685948.tif 000004
【図４】
0003685948.tif 000005
【図５】
0003685948.tif 000006
【図６】
0003685948.tif 000007
【図７】
0003685948.tif 000008